Podtech/llm-jp-corpus-v4-ja_patent huggingface dataset:
(57)【要約】      （修正有）【課題】衛生的で維持管理しやすく、昆虫のライスタイルに合わせた飼育環境を整え、より健康な昆虫を育て、昆虫飼育の楽しみを増進し、昆虫の様々な生態観察が可能な昆虫飼育容器を開発する。【解決手段】昆虫飼育容器１を２個重ね、下段は蓋を除いて飼育土を入れ、産卵・幼虫飼育床２とし、上段は、底板部に往来用窓４を開け、餌などを入れて成虫飼育部屋３とする。そして往来用窓４に、成虫が双方を行き来できるように梯子４を取り付る。【選択図】図１
0003138461.tif 000002
【実用新案登録請求の範囲】
【請求項１】
（イ）昆虫飼育容器１を２個重ね、下段は蓋を除いて産卵・幼虫飼育床２とし、上段は底板部に往来用窓４を開け、成虫飼育部屋３として上下二槽を設ける。
（ロ）往来用窓４に、二槽を行き来できる梯子５を取り付ける。
以上のように構成された、二槽式昆虫飼育容器。
【請求項２】
大きな昆虫飼育容器１に、間仕切り壁６を設け、一方を産卵・幼虫飼育床２とし、他方を成虫飼育部屋３の二槽にし、間仕切り壁６に、往来用窓４を開け、双方を行き来できる梯子５を取り付けて、左右二槽とした、請求項１の二槽式昆虫飼育容器。
【考案の詳細な説明】
【考案の詳細な説明】
【産業上の利用分野】
【０００１】  この考案は、昆虫飼育容器に関するものです。
【背景技術】
【０００２】  従来、昆虫飼育容器は、産卵・幼虫飼育床部分と成虫飼育スペース部分が一緒のため、成虫の餌入れ内に、ごみが混入し汚れて不衛生だったり、昆虫の生活環境が考慮されていないため、昆虫は不健康で元気が無かった。
また、成虫が幼虫飼育床の中に潜り込むことが多く、観察しにくかった。さらに、幼虫が羽化した後、成虫がそこにいるため、産卵・幼虫飼育床の入れ替えが難しかった。
【考案が解決しようとする課題点】
【０００３】  本案は、その欠点を除いて、衛生的で維持管理しやすく、昆虫のライフスタイルに合わせた飼育環境を整え、より健康な昆虫を育て、昆虫飼育の楽しみを増進し、昆虫の様々な生態観察が可能な昆虫飼育容器を開発しようとするものです。
【課題を解決するための手段】
【０００４】  いまその解決手段を、図面を追いながら説明すると
（イ）昆虫飼育容器１を２個重ね、下段を産卵・幼虫飼育床２に、上段を成虫飼育部屋３に、機能別に分け、混在を避ける。
（ロ）上段の成虫飼育部屋３の底板部に、往来用窓４を設け、上下段を行き来できる梯子５を取り付け、成虫が行動目的に合った場所に移動できるようにする。
【作用】
【０００５】  本案は、以上のような構造であるから、これを使用するときは、昆虫飼育容器１の１槽目に、飼育土を湿らせて８分目ほど入れ、産卵・幼虫飼育床２とし、２槽目は成虫の餌や餌台を置き、成虫飼育部屋３とする。
産卵・幼虫飼育床２に、昆虫の卵数個または幼虫を数匹入れて飼育すると、やがて羽化して成虫になり、餌を求めて成虫飼育部屋３にたどり着き、餌を食べて成長する。
全部羽化した後、産卵・幼虫飼育床２の飼育土を取り替えておくと、成虫飼育部屋３で交尾した雌は、産卵・幼虫飼育床２の中に産卵をする。
産卵が済んで、成虫活動が終わり、すべて死んだら成虫飼育部屋３の清掃を行い、来年の羽化を待つことになる。かくして昆虫のライフサイクルが、この二槽式昆虫飼育容器の中で成立する。
【実施例】
【０００６】  なお、本考案の実施にあたって次のようなことができる。
（イ）成虫の、昼間の活動を活発にするため、成虫飼育部屋３のある昆虫飼育容器１を不透明な材質にして中を暗くする。
（ロ）成虫の行動パターンや生態を観察しやすくするため、成虫飼育部屋３を、別途、間仕切り壁６で、複数箇所間仕切って、それそれに往来用窓４を設け、梯子５を取り付ける。
【考案の効果】
【０００７】  この二槽式昆虫飼育容器は、羽化した成虫が、産卵・幼虫飼育床から成虫飼育スペースに移動する際に、ごみや埃などは落としていくため、成虫の餌場は汚れず、二槽に分離しているから清掃も容易で衛生的になる。
木の枝や枯葉等で、より自然の環境に合せて、昆虫の生活環境を整えてやると、元気な昆虫が育ち、活発な行動が観察できる。
成虫飼育部屋を間仕切って複数設け、いろいろ違いのある部屋にすると昆虫の好みなどを知ることができる。
成虫個体に目印等を付ければ、雌雄ペアの組み方や組換えの有無等、行動パターンが見え、生態観察もできるようになる。
このように、ますます興味が湧き、昆虫飼育の楽しさが増えてくる。
【図面の簡単な説明】
【図１】  本考案の正面断面図
【図２】  本考案の他の実施例を示す正面断面図。
【符号の説明】
１は昆虫飼育容器
２は産卵・幼虫飼育床
３は成虫飼育部屋
４は往来用窓
５は梯子
６は間仕切り壁
【図１】
0003138461.tif 000003
【図２】
0003138461.tif 000004
(57)【要約】      （修正有）【課題】従来、ブレーキトルク検出機能がなかったため、エレベーター駆動装置のブレーキ軸部にブレーキトルク検出用金具を装着したもので、エレベーター停止中にブレーキトルクの検出を可能としたトルク検出機構を具備した駆動装置を提供する。【解決手段】エレベーター装置ブレーキ７軸部にトルクレンチ係合金具３を装着したもので、トルクレンチをトルクレンチ係合金具３に係合することにより、ブレーキトルクの検出を可能とした。【選択図】図１
0003138467.tif 000002
【実用新案登録請求の範囲】
【請求項１】
トラクションロープ式エレベーターの歯車式駆動装置において、ブレーキ軸にトルクレンチ係合金具を装着した、機械式ブレーキトルク検出機構を具備することを特徴とするエレベーター駆動装置。
【考案の詳細な説明】
【技術分野】
【０００１】  本考案は、トラクションロープ式エレベーターを昇降させる駆動装置のブレーキ軸にトルクレンチ係合金具を装着して、機械的にブレーキトルク検出をする機構を具備した、エレベーター駆動装置に関するものである。
【背景技術】
【０００２】  従来、エレベーター駆動装置にブレーキトルク検出機構は取付けられていなかった。従って、駆動装置のブレーキが規定の制動力を有するか確認するのが難しかった。
【考案の開示】
【考案が解決しょうとする課題】
【０００３】  従来、エレベーター駆動装置にブレーキトルクを検出する機能が無かったため、ブレーキが正常な性能を有するか確認する方法は、実際にエレベーターを動かして作動テストを行っていた。しかし、ブレーキトルク検出機構附加により、エレベーターを動かすことなくブレーキトルクの検出が可能となった。これにより、前述の欠点を解決できるようしたものである。
【課題を解決するための手段】
【０００４】  本考案は、駆動装置のブレーキ軸にトルクレンチと係合する金具が装着してあり、これにトルクレンチを係合して、ブレーキトルクを確認することができる。これにより、問題を解決している。
【考案の効果】
【０００５】    本考案により、ブレーキトルク検出がエレベーターを動かさないで、トルクレンチをブレーキ金具に係合するだけで可能となった。また、トルクレンチでブレーキトルクの制動力確認が容易にできるようになり、正確にブレーキトルクが計れるようになった。
【考案を実施するための最良の形態】
【０００６】  以下本考案の実施の形態を説明する。トルクレンチ係合金具をブレーキ部に装着。これにより、トルクレンチを係合金具に係合することにより、ブレーキの制動トルクを正確にはかることができる。
【実施例】  本考案の実施例を説明する。３はトルクレンチ係合金具で駆動装置ブレーキ７の軸に装着、１０のトルクレンチを３のトルクレンチ係合金具に係合することにより、ブレーキトルクを計ることができる。
【図面の簡単な説明】
【０００７】
【図１】  図１は本考案駆動装置の背面図
【図２】  図２は本考案駆動装置のトルクレンチ係合金具部図（トルクレンチ係合した状態）
【図３】  図３は本考案駆動装置の側面図その１（取付例１）
【図４】  図４は本考案駆動装置の側面図その２（取付例２）
【符号の説明】
１．シーブ軸
２．シーブブレーキ
３．トルクレンチ係合金具
４．機械台
５．減速機
６．モーター
７．モーターブレーキ
８．シーブ（綱車）
９．トルクレンチ
【図１】
0003138467.tif 000003
【図２】
0003138467.tif 000004
【図３】
0003138467.tif 000005
【図４】
0003138467.tif 000006
(57)【要約】      （修正有）【課題】従来の枕は桧製としてもチップ（枕の中に入れるもの）をいろいろ加工し、非常に手間ひまがかかり使用量も少なく高価なものが多いので簡単に出来るものはないかを考えました。【解決手段】超仕上加工鉋機より出る長い鉋屑のみを使用して３ｍｍ〜５ｍｍのチップに加工して枕布に入れるだけの簡単なもので従来のように複雑な加工をしなくて、安価で多量の量をつめこめる。又、手軽に手許にあるタオル地等を用いて使用しても鉋屑鋸屑を使用したものの用にとげや切傷の発生が全然ないので安心して使用し、肌ざわりも非常によい湿気の吸排出が良く、よい香りで非常に手ざわりのよい、どんな形状・サイズの枕及びクッション製ぬいぐるみ・敷布団・座布団等を製作可能です。【選択図】図１
0003138416.tif 000002
【実用新案登録請求の範囲】
【請求項１】
超仕上加工鉋の鉋屑の桧みを使って３ｍｍ〜５ｍｍの長さに切って作ったチップを用いた枕や座布団、ぬいぐるみ等のクッション製品。
【考案の詳細な説明】
【技術分野】
【０００１】  超仕上加工鉋機より出た鉋屑のみ使用しており他の鋸屑や鉋屑等を絶対混合しないので突傷や切傷が出来ない安全なもの。
【背景技術】
【０００２】  今までの桧材を使ったものは、複雑に加工したり商品を一部だけに使用されていたが、本考案は内容物が細片なので、どんな形でも全体に詰められる。
【考案の開示】
【０００３】  枕として使用する場合、大きさは個人の好みに合った大きさの袋を作り、桧の鉋屑を３ｍｍ〜５ｍｍの長さに切ったチップを詰めた布製の枕。枕の大きさ・形・模様等は、好みに合わせて自由に変えられる。［図１］
【０００４】  従来の桧材を使った枕は自由に転ばす事が出来ず、子供の枕遊び等は危険いっぱいのものだったが、本考案は形状・大きさ・上下左右も自由で、もし落ちてきても体に傷つける事なく取扱が簡単で誰にでも使用可能です。
【０００５】  形状が自由なので抱き枕やぬいぐるみ等に応用でき、布団・座布団や椅子のすわる座背もたれにも使用できる。
【図面の簡単な説明】
【０００６】
【図１】枕
【図２】ぬいぐるみ
【図３】座布団
【符号の説明】
１ａ  枕の大きさは使用する人に合わせて作る。枕カバーは２ｃｍ〜３ｃｍ大きくする。
１ｂ  桧チップを詰める為に入り口を開ける。
【図１】
0003138416.tif 000003
【図２】
0003138416.tif 000004
【図３】
0003138416.tif 000005
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
超仕上加工鉋で桧材の鉋屑を３ｍｍ〜５ｍｍの長さに切って作ったチップを用いたことを特徴とする形状自由で安全、取扱いのしやすい枕や座布団、ぬいぐるみ等のクッション製品。
【手続補正２】
【補正対象書類名】明細書
【補正対象項目名】全文
【補正方法】変更
【補正の内容】
【考案の詳細な説明】
【技術分野】
【０００１】本考案は、超仕上加工鉋機より出た桧材の鉋屑のチップを使用したクッション製品に関するものである。
【背景技術】
【０００２】従来の桧材を使ったものは、商品の一部に使用したり複雑に加工し、高価なものが多い。
【考案の開示】
【考案が解決する課題】
【０００３】従来の桧材を使った枕は自由に転ばす事が出来ず、子供の枕遊び等は危険いっぱいのものだったが、本考案は体に傷つける事なく安全で取扱が簡単で誰にでも使用可能である。形状・大きさ・上下左右も自由で、抱き枕やぬいぐるみ等に応用でき、布団・座布団や椅子のすわる座、背もたれにも使用できる。また、湿気の吸排出にも優れ、香りも良い。
【考案を解決するための手段】
【０００４】超仕上加工鉋機より出た桧の鉋屑を３ｍｍ〜５ｍｍのチップ状にし、製品の内容物として詰め込む。安価で多量に使用でき、形にとらわれないので、用途に合わせて詰めることができる。
【図面の簡単な説明】
【０００５】
【図１】枕
【図２】ぬいぐるみ
【図３】座布団
【符号の説明】
１ａ  枕の大きさは使用する人に合わせて作る。枕カバーは巾を２ｃｍ〜３ｃｍ大きくする。
１ｂ  桧チップを詰める為に入り口を開け、チップを詰めた後封をする。
【手続補正３】
【補正対象書類名】図面
【補正対象項目名】全図
【補正方法】追加
【補正の内容】
【図１】
0003138416.tif 000006
【図２】
0003138416.tif 000007
【図３】
0003138416.tif 000008
【手続補正書】
【提出日】平成19年4月23日(2007.4.23)
【手続補正１】
【補正対象書類名】明細書
【補正の内容】
0003138416.tif 000009
0003138416.tif 000010
0003138416.tif 000011
0003138416.tif 000012
0003138416.tif 000013
【手続補正書】
【提出日】平成19年8月18日(2007.8.18)
【手続補正１】
【補正対象書類名】実用新案登録請求の範囲
【補正対象項目名】全文
【補正方法】変更
【補正の内容】
【実用新案登録請求の範囲】
【請求項１】
超仕上加工鉋で桧材の鉋屑を３ｍｍ〜５ｍｍの長さに切って作ったチップを用いたことを特徴とする枕。
【請求項２】
超仕上加工鉋で桧材の鉋屑を３ｍｍ〜５ｍｍの長さに切って作ったチップを用いたことを特徴とするぬいぐるみ。
【請求項３】
超仕上加工鉋で桧材の鉋屑を３ｍｍ〜５ｍｍの長さに切って作ったチップを用いたことを特徴とする座布団。
【手続補正３】
【補正対象書類名】手続補正書
【補正対象項目名】手続補正３
【補正方法】変更
【補正の内容】
【手続補正３】
【補正対象書類名】明細書
【補正対象項目名】０００１
【補正方法】変更
【補正の内容】
【０００１】本考案は、超仕上加工鉋機より出た桧材の鉋屑のチップを使用した製品に関するものである。


【手続補正４】
【補正対象書類名】手続補正書
【補正対象項目名】手続補正４
【補正方法】変更
【補正の内容】
【手続補正４】
【補正対象書類名】明細書
【補正対象項目名】０００３
【補正方法】変更
【補正の内容】
【０００３】従来の桧材を使った枕は自由に転ばす事が出来ず、子供の枕遊び等は危険いっぱいのものだったが、本考案は体に傷つける事なく安全で取扱が簡単で誰にでも使用可能である。
形状・大きさ・上下左右も自由で、湿気の吸排出にも優れ、香りも良い。


【手続補正５】
【補正対象書類名】手続補正書
【補正対象項目名】手続補正４
【補正方法】変更
【補正の内容】
【手続補正４】
【補正対象書類名】図面
【補正対象項目名】全図
【補正方法】変更
【補正の内容】
【図１】
0003138416.tif 000014
【図２】
0003138416.tif 000015
【図３】
0003138416.tif 000016
(57)【要約】【課題】発電力の大きなモーター（ダイナモ）を回すところ【解決手段】変速機で回転を多くし、フライホイル（ウエイト）で慣性を付けます。【選択図】図１
0003138418.tif 000002
【実用新案登録請求の範囲】
【請求項１】
【考案の詳細な説明】
0003138418.tif 000003
0003138418.tif 000004
0003138418.tif 000005
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
バッテリーでモーター１を回し変速機に繋げます、変速機でフライホイル（ウエイト）が付いたモーター２（ダイナモ）を高回転で回し発電量を大きくします。  登録請求の範囲はバッテリー⇒モーター１⇒変速機⇒フライホイル（ウエイト）⇒モーター２（ダイナモ）までとします。
【手続補正２】
【補正対象書類名】明細書
【補正対象項目名】全文
【補正方法】変更
【補正の内容】
【考案の詳細な説明】
【考案の繊細な説明】
バッテリーでモーター１を回し変速機に繋げフライホイル（ウエイト）が付いたモーター２（ダイナモ）を回し、変速機を使いモーター２（ダイナモ）及びフライホイルを高回転にし、慣性でモーター２を軽い力で回るようにし、モーター１の出力以上にモーター２（ダイナモ）の発電力を大きくします。
【技術分野】
【０００１】モーター及びトランスミッション（変速機）
【背景技術】
【０００２】変速機モーター
【考案の開示】
公開
【考案が解決しようとする課題】
【・・・・】
エネルギーの増幅
【課題を解決するための手段】
【・・・・】
フライホイル（ウエイト）を重くし、変速機で回転を多くする。
【考案の効果】
【・・・・】
電力の半永久の確保
【考案を実地するための最良の形態】
【・・・・】
ノンブラシモーターの使用
【実施例】
【・・・・】
【産業上の利用可能性】
【・・・・】
エネルギーが無い所でのエネルギーの確保及びコスト削減
【図面の簡単な説明】
【・・・・】
【図１】
は、実用新案登録請求の範囲である。
【図２】
は、全体図である。
【符号の説明】
【・・・・】
モーター１は、駆動用、モーター２（ダイナモ）を回すモーターである。
モーター２（ダイナモ）は、発電用モーターである。
【手続補正３】
【補正対象書類名】図面
【補正対象項目名】全図
【補正方法】変更
【補正の内容】
【図１】
0003138418.tif 000006
【図２】
0003138418.tif 000007
【手続補正書】
【提出日】平成19年8月2日(2007.8.2)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
モーター１を回し、モーター１に繋いだ変速機（トランスミッション）でフライホイル（ウエイト）が付いたモーター２（ダイナモ）を回します。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の繊細な説明】
バッテリー等でモーター１を回し、モーター１に繋いだ変速機（トランスミッション）でフライホイル（ウエイト）が付いたモーター２（ダイナモ）を徐々に高回転にし、慣性でモーター２（ダイナモ）を軽い力で回るようにして、モーター１の出力以上にモーター２（ダイナモ）の発電力を大きくします。
【技術分野】
【０００１】モーター及びトランスミッション
【背景技術】
【０００２】変速機モーター
【考案の開示】
公開
【考案が解決しようとする課題】
【０００３】エネルギーの増幅
【課題を解決するための手段】
【０００４】フライホイル（ウエイト）を重くし、変速機（トランスミッション）で回転を多くする。
【考案の効果】
【０００５】電力の半永久の確保
【考案を実地するための最良の形態】
【０００６】ノンブラシモーターの使用
【産業上の利用可能性】
【０００７】エネルギーの無い所でのエネルギー確保及びコスト削減
【図面の簡単な説明】
【０００８】
【図１】は、考案の実地図である。
【図２】は、全体図である。
【符号の説明】
【０００９】モーター１は、モーター２（ダイナモ）を回すモーターである。
モーター２（ダイナモ）は、発電用モーターである。
【手続補正書】
【提出日】平成19年10月5日(2007.10.5)
【手続補正１】
【補正対象書類名】実用新案登録請求の範囲
【補正対象項目名】全文
【補正方法】変更
【補正の内容】
【実用新案登録請求の範囲】
【請求項１】
モーター１を変速機（トランスミッション）に組み合わせ、組み合わせた変速機（トランスミッション）に組み合わせたフライホイル（ウエイト）が付いたモーター２（ダイナモ）。
(57)【要約】      （修正有）【課題】障害飛越台を分割することにより、持ち運びが簡単になり、時間的、労働的負担の軽減をする。又、板壁、ブリッジ等の犬等の訓練器具等にも使用可能となる。【解決手段】支柱１に突起を作り、支柱の中に差し込むための溝を作った障害板４に差し込み、そのかみ合わせにより土台２と支柱１の保持をし、又、障害板４を取り外すことにより容易に分割が可能となり、土台２と支柱１は、蝶ボルト３止めとし、一切道具なしで組立、分解が可能となる。【選択図】図１
0003138420.tif 000002
【実用新案登録請求の範囲】
【請求項１】
犬等の訓練競技会等に使用する訓練器具の障害飛越台の支柱に突起を作り、支柱の中に差し込むための溝を作った障害板を差し込み、そのかみ合わせにより土台と支柱の保持をし、又、障害板を取り外すことにより容易に分割が可能となり、土台と支柱は、蝶ボルト等止めとし、一切道具なしで組立を容易に道具なしで組立と分解し、小さく収納携帯できる障害飛越台。
【考案の詳細な説明】
【技術分野】
【０００１】  本考案は、犬等の訓練に使用する訓練器具の障害飛越台を組立及び分解する方法を設けた、犬等に使用する訓練器具に関するものである。
【背景技術】
【０００２】  犬の訓練競技会等に会場に訓練器具の障害飛越台の形のままで、運ぶので大人２名で運んでいた。
【考案の開示】
【考案が解決しようとする課題】
【０００３】  障害飛越台を運ぶのに２名ほど必要となり、また、訓練競技会等に運ぶ車のスペースも必要とし、さらに他の場所に障害飛越台の移動は、時間的、労働的負担である。従って、障害飛越台の機能を損なわず本体を小さくすることによって、１人で移動できるよう、前述の欠点を解決しようとするものである。
【課題を解決するための手段】
【０００４】  本考案は、一体化した障害飛越台を支柱と土台と障害板に分割することにより、問題点を解決している。
【考案の効果】
【０００５】  上述の様に、本考案の一体化した障害飛越台を支柱と土台と障害板を分割することにより、一体化した障害飛越台より小さく、まとめることができ、一人で持ち運びができ、時間的、労働的負担の軽減に役立つ。
【考案を実施するための最良の形態】
【０００６】  障害飛越台の支柱と土台は、ボルト止めとし、容易に分解できるようにする。又、支柱の中に突起を作り、支柱の中に差し込む障害板には、溝を作り、そのかみ合わせにより土台と支柱の保持をし、又、障害板を取り外すことにより分割することができる。また、取り外しが自在となる。
【実施例】
【０００７】  以下、添付図面に従って一実施例を説明する。障害飛越台の支柱と土台と障害板は耐久性に優れた金属または、木材等の適宜素材にて形成される。１は、支柱で２の土台と３の蝶ボルトで固定される。【０００８】  支柱１の突起に４の溝のある障害板を挿入することで、支柱１は、垂直に固定され、一体化された障害飛越台となる。障害飛越台の高さは、障害板４の数によって決まる。又、障害板４を取り外せば、支柱１土台２と、障害板４に容易に分かれる。【０００９】  本考案の一実施例は上述の如き構成からなるものであるから、支柱１、土台２、数個の障害板４に分割され持ち運びが可能となる。
【図面の簡単な説明】
【００１０】
【図１】本考案の支柱１と障害板４の上部から見た上面図である。
【図２】本考案の携帯障害飛越台の一実施例の正面図である。
【図３】本考案の障害飛越台の側面図である。
【符号の説明】
【００１１】  １  支柱
２  土台
３  蝶ボルト
４  障害板
【図１】
0003138420.tif 000003
【図２】
0003138420.tif 000004
【図３】
0003138420.tif 000005
【手続補正書】
【提出日】平成19年6月3日(2007.6.3)
【手続補正１】
【補正対象書類名】実用新案登録請求の範囲
【補正対象項目名】全文
【補正方法】変更
【補正の内容】
【実用新案登録請求の範囲】
【請求項１】
犬等の訓練競技会等に使用する訓練器具の障害飛越台の突起のある支柱と土台を組み立て、蝶ボルトで固定し、又、支柱の突起に差し込むための溝を作った障害板を差し込み、支柱と障害板とのかみ合わせにより障害飛越台を組み立てることができ、又、分解するには、支柱から障害板を取り外すことと、蝶ボルトを支柱と土台から外すことにより可能となり、一切道具なしで、容易に小さく収納携帯できる障害飛越台。
【手続補正２】
【補正対象書類名】明細書
【補正対象項目名】０００６
【補正方法】変更
【補正の内容】
【０００６】  障害飛越台の支柱と土台は、蝶ボルト止めとし、容易に分解できるようにする。又、支柱の中に突起を作り、支柱の中に差し込む障害板には、溝を作り、支柱と障害板とのかみ合わせにより、障害飛越台を組み立てることができ、又、障害板を取り外すことにより分解することができる。
【手続補正書】
【提出日】平成19年8月19日(2007.8.19)
【手続補正１】
【補正対象書類名】実用新案登録請求の範囲
【補正対象項目名】全文
【補正方法】変更
【補正の内容】
【実用新案登録請求の範囲】
【請求項１】
突起のある支柱と土台と溝を有する障害板とからなり、前記支柱と前記土台を蝶ボルトで固定し、前記障害板の前記溝に前記支柱の前記突起を差し込んだことを特徴とする障害飛越台。
(57)【要約】【課題】特に面積の小さい場所など、舗装、土、砂、砂利等の転圧時、路肩の側溝のＵ字溝の耳のコンクリート、ブロック等を鉄製の転圧ローラー、ドラムの乗り上げ、接触で、破損することが多いため、破損防止をすることを課題とし、提供する。【解決手段】クッション付振動ローラー、ドラムの左右の外側に、合成ゴムベルト、合成樹脂ベルトをドラムから少々突設して設けて、解決手段として提供することで解決した。【選択図】図１
0003138451.tif 000002
【実用新案登録請求の範囲】
【請求項１】
ドラムの外側左右の正面に、合成ゴムベルト、合成樹脂ベルトを設けたクッション付振動ローラー。
【請求項２】
ドラムの外側左右に設けられる、合成ゴムベルト、合成樹脂ベルトを、ドラムを少々突設して設けられるクッション付振動ローラー。
【考案の詳細な説明】
【技術分野】
【０００１】本考案は建設機具に関する。
【背景技術】
【０００２】従来より建設機具が色々とあるが、舗装、土、砂、砂利等の転圧機具は古来より知られている。
【考案の開示】
【考案が解決しようとする課題】
【０００３】特に面積の小さい場所の舗装、土、砂、砂利の路肩の側溝のＵ字溝の耳に鉄製のドラムが乗る、接触、転圧すると、Ｕ字溝のコンクリート、ブロックが破損することが多く、欠点がある。
【課題を解決するための手段】
【０００４】本考案は舗装、土、砂、砂利を転圧時のドラム、ローラーの外側左右の正面に、合成ゴムベルト、合成樹脂ベルトを設けて、上記課題を解決するものである。
【考案を実施するための最良の形態】
【０００５】図１に示すように、クッション付振動ローラー、ドラムは前後二本からなり、ドラムは鉄製で、ドラム外側左右正面に、ドラムより少々突設して、合成ゴムベルト、合成樹脂ベルトを張り付けて設ける。【０００６】ドラムに設ける合成ゴムベルト、合成樹脂ベルトは、連結してボルト、リベットで設けられる。
【考案の効果】
【０００７】本考案は、工事に路肩の側溝のＵ字溝コンクリートやブロックを転圧中、壊れたり傷がつかない効果がある。
【図面の簡単な説明】
【図１】本考案に係る、クッション付振動ローラードラムの、外側左右に設けた合成ベルト、合成樹脂ベルトを設けたクッション付振動ローラーの工程図である。
【図２】本考案に係る、クッション付振動ローラーのドラムに合成ゴムベルト、合成樹脂ベルトを、ボルト、リベットで設けた工程図である。
【符号の説明】
１    ドラム、ローラー
２    合成ゴムベルト、合成樹脂ベルト
３    ボルト、リベット
【図１】
0003138451.tif 000003
【図２】
0003138451.tif 000004
(57)【要約】      （修正有）【課題】瓦受溝と雨水逆流を防ぐ懐状の水返しを一体化形成することで、瓦の不揃い、不安定、脱落をなくし、美観も良く、防水性を高める効果がある。【解決手段】本体金属板１で雨水流れ道２を形造り、瓦受台３の先端に、雨水流口４を配した瓦受溝５、その底部に雨水の逆流を防ぐ懐状の水返し６を設けて防水性を高める。本体１をハゼ８で固定し、瓦受縁７の縁穴９から引止線を引止め固定をする。瓦受溝５で瓦を受け止めているので、美観良く、脱落、不安定、不揃いなく、懐状の水返し６により、防水性を高める。【選択図】図２
0003138452.tif 000002
【実用新案登録請求の範囲】
【請求項１】
金属板で雨水の流れ道を形造り、瓦受台に雨水の流れ口を配した瓦受溝と、その底部に雨水の逆流を負防ぐ懐状の水返しを一体化形成した谷樋。
【考案の詳細な説明】
【技術分野】
【０００１】  本考案は、建物屋根の谷を改良し、瓦受溝と水返しを一体化形成した谷樋である。
【背景技術】
【０００２】  建物の屋根は二つの屋根面の流れが斜めに交わる箇所で、その谷部は多量の雨水が集中する所であるが、従来は下葺きに金属板を敷き、その上に瓦を斜めに切断加工した谷右勝手、左勝手の瓦を葺き上げる方法で施工していた。
【考案の開示】
【考案が解決しようとする課題】
【０００３】  瓦の斜めの切断面が不揃いであるため美観が悪く、更には瓦の不安定、脱落などといった欠点があるため、防水性に欠けるといった問題がある。
【課題を解決するための手段】
【０００４】  本考案は、金属板を谷勾配に折り曲げ、雨水の流れ道を造り、瓦受け台を設け、その先端に雨水の流れ口を配した瓦受溝と、その底部に雨水の逆流を防ぐ懐状の水返しを一体化形成したことで、前述の問題点を解決しようとするものである。
【考案の効果】
【０００５】  上述のように本考案は、瓦受溝と雨水逆流を防ぐ懐状の水返しを一体化形成した谷樋は、瓦の不揃い、不安定、脱落もなく、美観良く、防水性を高める効果がある。
【考案の実施するための最良の形態】
【０００６】  金属板を谷勾配に折り曲げ、瓦受け台の先端に雨水の流れ口を配した瓦受溝と、その底部に雨水の逆流を防ぐ懐状の水返しを一体化形成した谷樋を、建物の谷に固定施工する。
【図面の簡単な説明】
【０００７】
【図１】  平面図
【図２】  断面図
【図３】  詳細図
【符号の説明】
【０００８】    １  本体
２  雨水流れ道
３  瓦受け台
４  雨水流れ口
５  瓦受溝
６  水逆流防止、懐状水返し
７  瓦受縁
８  本体固定ハゼ
９  瓦受縁引止め穴
１０  瓦受縁引止め線
１１  瓦受縁引止め線固定
【図１】
0003138452.tif 000003
【図２】
0003138452.tif 000004
【図３】
0003138452.tif 000005
(57)【要約】      （修正有）【課題】サーフィンをする者とその周囲の人の安全確保のために、サーフボードとサーフィンをする者を繋ぐリーシュコードの流水抵抗に起因する、負荷を軽減すること。【解決手段】リーシュコードのコード部１の表面の少なくとも一部に、ディンプル２ａを設ける。前期ディンプル２ａにより発生する小さな乱流が、リーシュコードのコード部１全体を包むように層を形成することにより、流水抵抗が低減し、サーフィンをする者の肉体的負担を軽減することができる。【選択図】図２
0003138459.tif 000002
【実用新案登録請求の範囲】
【請求項１】
サーフィンをする者とサーフボードを繋ぐコード部分の表面の少なくとも一部にディンプルを施すことを特徴とするサーフィン用のリーシュコード。
【考案の詳細な説明】
【考案の詳細な説明】
【技術分野】
【０００１】  本考案はサーフィンをする者とサーフボードを繋ぐためのリーシュコードに関する。
【背景技術】
【０００２】  元来、サーフィン用のリーシュコードは、サーフィンをする者とサーフボードを繋ぐことにより、サーフィンをする者やその周囲にいる者に対して、転倒などによってサーフィンをする者から離れてしまうサーフボードから身の安全を守るための器具であり、安全性重視の器具であった。
【考案の開示】
【考案が解決しようとする課題】
【０００３】  サーフィンをするため沖へ出る際には、サーフィンをする者はサーフボードにうつぶせになり、手のみで水を掻いていくことになるが、サーフィン用のリーシュコードを装着しているとそれが流水抵抗を受け、サーフィンをする者に対して、大きな負荷がかかることになる。従って本考案の課題は、沖に出る際のサーフィンをする者に対する負荷を軽減させることにある。
【課題を解決するための手段】
【０００４】  サーフィン用のリーシュコードのコード部分の表面の少なくとも一部にドット状のディンプルを施すことにより発生する小さな乱流がコード部分を包むように層を形成し、水流を後方に押しやることで流水抵抗を軽減させる。
【考案の効果】
【０００５】  ディンプルを施したサーフィン用のリーシュコードを使用することで、サーフィンをする者の肉体的な負担を軽減し、サーフィンのための体力を浪費しないで済む。【０００６】  また、長年サーフィンをしている者達だけでなく、サーフィンを始めようとする初心者の者達にとっても、有用な器具であることから、サーフィン人口の増加も期待できる。
【考案を実施するための最良の形態】
【０００７】  本考案を実施するための最良の形態について、図面を参照しながら説明する。図１は本考案に係るリーシュコードの全体を示す図であり、コードの途中は省略して示した。図１において１はコード部、３ａ、３ｂはレールセーバー、４ａ、４ｂはスウィベル、５はカフ、６はサーフボードの保護ベルト、７はサーフボードに繋ぐための紐である。【０００８】  図２はコード部１の表面を拡大して示した図で、２ａはディンプルである。ここに示したように、ディンプル２ａは流水による抵抗が最も強くかかるコード部１の表面全体に設けられている。また、この例に示したディンプル２ａは、開口部の形状が六角形で、図２に示したように、図における上下左右に緊密に接した状態で配置されている。【０００９】  図３は別形状のディンプルを設けたコード部１の表面を拡大して示した図で、２ｂはディンプルである。この例に示したディンプル２ｂは、開口部の形状が円形で、図３に示したように、図における上下左右に一定の距離をおいた状態で配置されている。【００１０】  なお、本考案におけるディンプル２ａ、２ｂは、効果を損なわない限りにおいて、必ずしもコード部１の表面に全体に亘って設ける必要はなく、例えば、レールセーバー３ｂを取り付ける部分の近傍に設けないようにすることで、レールセーバー３ｂとコード部１の接合強度を向上することが可能である。【００１１】  さらに、本考案は、前記の実施の形態に限定されるものではなく、本考案の要旨を逸脱しない範囲の設計変更、例えばディンプルの形状を六角形や円形以外とした場合であっても、本考案に含まれる。即ち、当業者であればなし得るであろう各種変形、修正が本考案に含まれることは勿論である。
【図面の簡単な説明】
【００１２】
【図１】  本考案に係るリーシュコードの全体を示す図
【図２】  コード部の表面を拡大して示した図
【図３】  別形状のディンプルを設けたコード部の表面を拡大して示した図
【符号の説明】
【００１３】  １  コード部
２ａ、２ｂ  ディンプル
３ａ、３ｂ  レールセーバー
４ａ、４ｂ  スウィベル
５  カフ
６  サーフボードの保護ベルト
７  サーフボードに繋ぐための紐
【図１】
0003138459.tif 000003
【図２】
0003138459.tif 000004
【図３】
0003138459.tif 000005
(57)【要約】【課題】管内に水が溜まる問題を解決し、良好な恒温性を維持可能にするヒートパイプを提供する。【解決手段】  ヒートパイプ１０は、両端が密封される管体１１と、管体１１の内壁面に配置されかつ所定の厚さを有する毛管材２１と、管体１１内に注入される液体３１と、を含み、管体１１は受熱部Hと凝結部Cを有し、毛管材２１は受熱部Hに位置する厚さが凝結部Cに位置する厚さより大きいことを特徴とする。凝結部Cの上の毛管材２１の厚さが小さいため、毛管材２１から形成される空間は大きくなり、凝結した水が詰まる現象が発生しない。従って管内に水が溜まる問題を解決し、良好な恒温性を維持することが可能となる。【選択図】  図２
0003138963.tif 000002
【実用新案登録請求の範囲】
【請求項１】
両端が密封される管体と、
管体の内壁面に配置され、所定の厚さを有する毛管材と、
管体内に注入される液体と、を備え、
前記管体は受熱部と凝結部を有し、前記毛管材は前記受熱部に位置する厚さが前記凝結部に位置する厚さより大きいことを特徴とするヒートパイプ。
【請求項２】
前記受熱部と前記凝結部の間には、断熱部を有することを特徴とする請求項１に記載のヒートパイプ。
【請求項３】
前記断熱部に位置する毛管材の厚さは、一端が大きく、他端が小さいことを特徴とする請求項２に記載のヒートパイプ。
【請求項４】
前記断熱部に位置する毛管材の厚さが大きい一端は前記受熱部に近く、前記断熱部に位置する毛管材の厚さが小さい他端は前記凝結部に近いことを特徴とする請求項３に記載のヒートパイプ。
【請求項５】
前記断熱部に位置する毛管材の厚さは、厚さが大きい一端から他端へ漸減するように設けられることを特徴とする請求項３に記載のヒートパイプ。
【考案の詳細な説明】
【技術分野】
【０００１】
本考案はヒートパイプに関し、特に良好な恒温性のあるヒートパイプに関する。
【背景技術】
【０００２】
従来のヒートパイプは、密閉状態の管体の内壁に毛管材と適切な液体を有し、液相と気相との間の液体の変化と管体内の液体の流動により導熱する。つまり、管体の受熱部の水を蒸気に変化させ、続いて蒸気を管体の凝結部に拡散させ、水に凝結させ、そののち毛管材の毛管現象により水を管体の受熱部に逆流させて熱交換が完了する。このような循環を持続し、吸熱と放熱動作を行うことにより迅速な導熱効果を達成する。
【０００３】
例えばノートパソコンまたはビデオカードなどの様に、空間が限られた、熱を発散する装置にヒートパイプを装着する場合、必要に応じヒートパイプを扁平な形に加工し装着する。扁平な形に加工されたヒートパイプの内部状態を図４に示す。ヒートパイプ７０内部の空間は扁平で小さいため、水蒸気を活動させる空間も小さく、凝結部Ｃの水蒸気は水７９に凝結しても一部が受熱部Ｈに逆流し、一部の水７９が凝結部に残留する現象が起こる。その原因は扁平な形に加工された毛管材７３により形成される空間が小さく、毛管のような構造であるため、水７９が毛管作用により凝結部Ｃに残留し、溜まってしまうためである。
【０００４】
凝結部Ｃの水は受熱部Ｈに完全に逆流せず、溜まってしまうため、水蒸気は水が凝結部Ｃに溜まっている状態下で液相、気相の転移を行うことができない。つまり熱エネルギーをこの部分に伝えることができない。また、水が溜まっている部分の温度は下がり、管体全体の恒温性は破壊され、熱伝導効果は低下するという問題が起こる。従ってこのような状況の解決を図る必要がある。
【考案の開示】
【考案が解決しようとする課題】
【０００５】
本考案の主な目的は、管内に水が溜まる問題を解決し、良好な恒温性を維持することを可能にするヒートパイプを提供することである。
【課題を解決するための手段】
【０００６】
上述の目的を達成するために、本考案によるヒートパイプは、両端が密封される管体と、管体の内壁面に配置されかつ所定の厚さを有する毛管材と、管体内に注入される液体とから構成される。
管体は受熱部と凝結部を有し、毛管材は受熱部に位置する厚さが凝結部に位置する厚さより大きい。凝結部の上の毛管材の厚さが比較的小さく設けられるため、毛管材から形成される空間は比較的大きく、凝結した水は詰まるような現象が発生しない。従って管内に水が溜まる問題を解決し、良好な恒温性を維持することが可能となる。
【考案を実施するための最良の形態】
【０００７】
以下、本考案の実施例を図面に基づいて説明する。
（一実施例）
本考案の一実施例を図１から図３に示す。ヒートパイプ１０は管体１１、毛管材２１と液体３１とから構成される。
管体１１は両端が密封されている。毛管材２１は管体１１の内壁面に配置され、かつ所定の厚さを有する。液体３１は管体１１内に注入されている。
【０００８】
管体１１は受熱部Ｈ、断熱部Ａ、および凝結部Ｃを有し、毛管材２１は受熱部Ｈに位置する厚さが凝結部Ｃに位置する厚さより大きい。断熱部Ａは受熱部Ｈと凝結部Ｃとの間に位置付けられ、断熱部Ａの上の毛管材２１の厚さは一端が比較的大きく、受熱部Ｈに近く、他端が比較的小さく、凝結部Ｃに近い。断熱部Ａの上の毛管材２１の厚さは比較的厚い一端から他端へ漸減するように設けられる。
【０００９】
図２に示すように、本考案では、受熱部Ｈ内の液体３１は熱を受けて蒸発し、蒸気となり、そののち受熱部Ｈの上の毛管材２１から形成される空間を通り、断熱部Ａへ移動し、そして凝結部Ｃへ移動する。続いて、蒸気は凝結部Ｃにおいて液体３１に凝結し、毛管材２１に入り込む。凝結部Ｃ上の毛管材２１の厚さが比較的小さいため、毛管材から形成される空間の直径は比較的大きい。従って、凝結部Ｃ上の毛管材２１内の液体３１の量は毛管材から形成される空間に詰まる量にならないため、水が溜まる現象が起こらない。図３に示すのは液体３１が毛管材２１において凝結した状態である。これにより液体３１は毛管材２１を介して受熱部Ｈに逆流し、良好な循環効果を有することが可能なだけでなく、恒温性が良好で、導熱効果が良くなる。
【００１０】
上述した通り、受熱部Ｈ上の毛管材２１の厚さが比較的大きいため、受熱部の毛管材から形成される空間と直径は凝結部Ｃ上の毛管材２１から形成される空間と直径より小さい。従って、受熱部Ｈの蒸気圧力は凝結部Ｃの蒸気圧力より大きく、凝結部Ｃへスムーズに移動することが可能である。
【００１１】
上述のように、本考案はヒートパイプ内に水が溜まり、恒温性が足りないとう問題を解決することが可能である。本考案は毛管材の厚さが異なるため、液体が凝結部の上の毛管材に残留しても毛管材から形成される空間に詰まる現象が発生しない。従って、本考案は水が溜まる問題が発生しないため、従来のヒートパイプにおける水が溜まるという問題を解決し、ヒートパイプ全体の恒温性を良好に維持することが可能となる。
【図面の簡単な説明】
【００１２】
【図１】本考案の一実施例を示す概略図である。
【図２】本考案の一実施例を示す断面図である。
【図３】図２の一部分を拡大した断面図である。
【図４】従来の扁平なヒートパイプの側面を示す断面図である。
【符号の説明】
【００１３】
１０：ヒートパイプ、２１：毛管材、３１：液体、１１：管体、Ｈ：受熱部、Ａ：断熱部、Ｃ：凝結部
【図１】
0003138963.tif 000003
【図２】
0003138963.tif 000004
【図３】
0003138963.tif 000005
【図４】
0003138963.tif 000006
(57)【要約】      （修正有）【課題】効果的に肩を伸ばし、その結果胸部を持ち上げることができるブラジャーを提供する。【解決手段】ブラカップ１と胴体バンド３を備えたブラジャーであって、成形効果のある布地が、胴体バンドとブラカップの間にさらに縫製されている、ブラジャー。ある実施形態では、プラスチックのサポート骨４がブラカップの内側表面に垂直に設けられている。ある実施形態では、プラスチックのサポート骨が左右のブラカップのそれぞれに１つずつ設けられている。【選択図】図１
0003138969.tif 000002
【実用新案登録請求の範囲】
【請求項１】
ブラカップ（１）と胴体バンド（３）を備えたブラジャーであって、成形効果のある布地（５）が、胴体バンド（３）とブラカップ（１）の間にさらに縫製されていることを特徴とする、ブラジャー。
【請求項２】
プラスチックのサポート骨（４）がブラカップ（１）の内側表面に垂直に設けられていることを特徴とする、請求項１に記載のブラジャー。
【請求項３】
プラスチックのサポート骨（４）が左右のブラカップのそれぞれに１つずつ設けられていることを特徴とする、請求項２に記載のブラジャー。
【請求項４】
プラスチックの補強骨（６）が、ブラカップ（１）と胴体バンド（３）を水平につなぐ成形効果のある布地（５）の表面に設けられていることを特徴とする、請求項１に記載のブラジャー。
【請求項５】
プラスチックの補強骨（６）が、左右それぞれのブラカップと胴体バンドとの間にそれぞれ２つずつ設けられていることを特徴とする、請求項４に記載のブラジャー。
【考案の詳細な説明】
【技術分野】
【０００１】
本考案はブラジャーに関するものである。
【背景技術】
【０００２】
ブラジャーはすでにほとんどの女性が使用する品物となっている。しかし、今日のブラジャーは、体型を整える効果がなく、胸部をカバーするためのみに通常使われている。
【考案の開示】
【考案が解決しようとする課題】
【０００３】
既存の技術の足りない部分を補うために、本考案で解決されるべき技術的な課題は、効果的に肩を伸ばし、その結果胸部を持ち上げるブラジャーの一種を提供することである。
【課題を解決するための手段】
【０００４】
上記課題を解決するために、本考案は、例えば、以下を提供する：
（項目１）
ブラカップ（１）と胴体バンド（３）を備えたブラジャーであって、成形効果のある布地（５）が、胴体バンド（３）とブラカップ（１）の間にさらに縫製されていることを特徴とする、ブラジャー。
【０００５】
（項目２）
プラスチックのサポート骨（４）がブラカップ（１）の内側表面に垂直に設けられていることを特徴とする、項目１に記載のブラジャー。
【０００６】
（項目３）
プラスチックのサポート骨（４）が左右のブラカップのそれぞれに１つずつ設けられていることを特徴とする、項目２に記載のブラジャー。
【０００７】
（項目４）
プラスチックの補強骨（６）が、ブラカップ（１）と胴体バンド（３）を水平につなぐ成形効果のある布地（５）の表面に設けられていることを特徴とする、項目１に記載のブラジャー。
【０００８】
（項目５）
プラスチックの補強骨（６）が、左右それぞれのブラカップと胴体バンドとの間にそれぞれ２つずつ設けられていることを特徴とする、項目４に記載のブラジャー。
【０００９】
本考案はブラジャーの一種を開示するものである。本ブラジャーは、ブラカップと胴体バンドの間に成形効果のある布地をさらに縫いこんだ、ブラカップと胴体バンドとを備えている。付加的な成形効果のある布地は、胴体バンドとブラカップとの間に縫製されるので、肩はまっすぐに伸び、その結果、胸部が持ち上げられる。
【００１０】
本考案に提供される技術的な解決手段は、ブラジャーにブラカップと胴体バンド、独自の裁断技術、および胴体バンドとブラカップとの間に付加的に縫製された成形効果のある布地を備えることである。
【００１１】
成形効果のある布地が、胴体バンドとブラカップとの間にさらに縫製されるので、肩はまっすぐに伸び、その結果、胸部は持ち上げられる。成形効果のある布地と独自の裁断技術のため、生まれつきではなく、何らかの理由で猫背である可能性がある、着用者の体をまっすぐに伸ばし、その結果、胸部が持ち上げられるという付随効果が得られる。
【考案の効果】
【００１２】
本考案により、効果的に肩を伸ばし、その結果胸部を持ち上げるブラジャーが提供される。
【考案を実施するための最良の形態】
【００１３】
本考案の具体的な実施は、次の参照図に詳細が記載される。
【００１４】
図１は本考案の構造図である。このブラジャーは、ブラカップ１と胴体バンド３を備えており、成形効果のある布地５が、胴体バンド３とブラカップ１の間にさらに縫製されていることを特徴とする。
【００１５】
また、望ましくは、胸部の先端を補正して、胸部を若干上向きにし、張りを持たせ、上向きの胸部を実現するために、ブラカップ１の内側表面に垂直に設けられるプラスチックのサポート骨４を備えている。左右のブラカップそれぞれに、１つあるいは複数のプラスチックのサポート骨４が設けられる。
【００１６】
望ましくは、胸部の脂肪組織を両側から胸部の中央に向かって押しこみ、より胸部を中央に寄せて、持ち上げるために、プラスチックの補強骨６が、ブラカップ１と胴体バンド３を水平につなぐ、成形効果のある布地５の表面に設けられる。左右のブラカップと胴体バンドの間の両方に、２つ以上のプラスチックの補強骨６が設けられる。
【００１７】
（本考案の機能に関する説明）
胸部の脂肪組織をサポートするため、ブラカップにプラスチック骨が加えられている。これにより、胸部の先端が若干上を向くように固定され、胸部に張りがでて、上に持ち上げられる。
【００１８】
ブラジャーの底部に、成形効果のあるベストがさらに縫製されており、効果的に肩を伸ばし、胸部を上に持ち上げる。
【００１９】
各側のプラスチック骨が胸部の脂肪組織を補強し、両側から胸部の中央に向かってこれを押す。この結果、胸部は中央に寄せられ、上に持ち上げられる。
【００２０】
注：上記の追加機能の一部または全体を、異なるニーズに応じて、異なるブラジャーのデザインに備えることができる。
【図面の簡単な説明】
【００２１】
【図１】図１は本考案によるブラジャーの構造図である。
【符号の説明】
【００２２】
１  ブラカップ
３  胴体バンド
４  サポート骨
５  成形効果のある布地
６  補強骨
【図１】
0003138969.tif 000003
(57)【要約】      （修正有）【課題】まな板スタンドが無ければうまく立たず、濡れたまま横向きにに放置すればカビの発生原因ともなるのでまな板の不衛生な使用後管理を解消する。【解決手段】穴あき回転脚２をまな板本体１に取り付け、壁に吊る又は自立させる。【選択図】図３
0003138980.tif 000002
【実用新案登録請求の範囲】
【請求項１】
本体の一部に、壁吊り穴あき回転脚を設けたことを特徴とするまな板。
【考案の詳細な説明】
【技術分野】
【０００１】本考案は、まな板に関するものであり、まな板本体に穴のあいた回転式の脚部を取り付けることにより、使用後のまな板を、壁掛けフックに吊るすか或いは、自立させる事により、清潔に乾燥保持できるようにしたものである。
【背景技術】
【０００２】従来の使用後のまな板は、まな板スタンドを利用して、立てかけていた。（図４）
【考案の開示】
【考案が解決しようとする課題】
【０００３】しかし、これでは、まな板スタンドが無ければうまく立たず、濡れたまま横向きにに放置すれば、カビの発生原因ともなり、不潔である。
【課題を解決するための手段】
【０００４】そこで、穴あき回転脚を、まな板本体に取り付けることを考案した。（図１）
この穴あき回転脚により、壁に吊る、又は自立させる事が出来る。
【考案の効果】
【０００５】よって、本考案の穴あき回転脚付きまな板により、使用後の濡れたまな板を壁に吊る（図２）、或いは自立させる（図３）事により、清潔に乾燥させながらまな板を保管できる。
【考案を実施する為の最良の形態】
【０００６】図２は、回転脚に穴をあけてあるのが特徴とする、壁吊り式の保管方法の図面である。同図に示すように、壁掛けフックに回転脚に設けた穴を引っ掛け保管できる。
図３は、まな板本体に取り付けてある脚が回転する事を特徴とする、自立式の保管方法の図面である。同図に示すように、まな板本体に取り付けた脚を回転する事により、まな板自体が自立し保管できる。
【図面の簡単な説明】
【０００７】
【図１】本考案に係わる穴あき回転脚をまな板本体に取り付けた図面である。
【図２】本考案に係わる壁吊り式の保管方法の図面である。
【図３】本考案に係わる自立式の保管方法の図面である。
【図４】従来のまな板スタンドを利用した保管方法の図面である。
【符号の説明】
【０００８】１．まな板本体
２．回転脚
３．取り付けビス
４．ビス締め付け用の穴
５．壁吊り用の穴
６．壁吊り用のフック
７．まな板スタンド
【図１】
0003138980.tif 000003
【図２】
0003138980.tif 000004
【図３】
0003138980.tif 000005
【図４】
0003138980.tif 000006
(57)【要約】      （修正有）【課題】反り、割れが発生しない湾曲防止板付き薄板接着板を提供する。【解決手段】湾曲防止板付き薄板接着板は、薄く細い木材１を横方向に接着し、且つ直角方向に反り止め板として湾曲防止木材２を取り付けてこの問題を解決した。これにより、薄くても、反りにくく、割れにくい板ができる。【選択図】図１
0003138979.tif 000002
【実用新案登録請求の範囲】
【請求項１】
薄く細い木材を横方向に張り合わせ、且つ湾曲防止の反り止め板を直角方向に接着した湾曲防止板付き薄板接着板。
【考案の詳細な説明】
【技術分野】
【０００１】本考案は、薄い木材に関するものであり、薄くて細い木材を横方向に張り合わせ、且つ直角方向に反り止め板を取り付けることにより薄さを必要とする製品に、反り、割れ無しで使用できるようにしたものである。
【背景技術】
【０００２】従来の無垢材の薄い板は、反り、割れが発生していた。（図２）
【考案の開示】
【考案が解決しようとする課題】
【０００３】しかし、これでは、薄さを必要とする製品には使用出来なかった。
【課題を解決するための手段】
【０００４】そこで、湾曲防止板付き薄板接着板を考案した。（図１）
薄く細い木材を横方向に接着し、直角方向に反り止め板を取り付ける。
【考案の効果】
【０００５】よって、本考案の湾曲防止板付き薄板接着板により、薄い木材の使用を必要とする商品に利用できる。
【考案を実施する為の最良の形態】
【０００６】図１は湾曲防止板付き薄板接着板の図面である。
同図に示すように、薄くても、反りにくく、割れにくい板が出来る。
【図面の簡単な説明】
【０００７】
【図１】本考案に係わる湾曲防止板付き薄板接着板の図面である。
【図２】従来の無垢板を利用した製品の図面である。
【符号の説明】
【０００８】１．薄くて細い木材
２．湾曲防止木材
３．従来の薄い無垢材
４．反り
５．割れ
【図１】
0003138979.tif 000003
【図２】
0003138979.tif 000004